(57)【要約】  本発明は、フラットスクリーン、キャビネット（１０）、ならびに、第１および第２の位置をとることができる少なくとも１つの可動式アーム（１５）を備えるディスプレイデバイス（１）に関するものである。第１の位置では、可動式アームの１つの先端は、スクリーンの正面に対応する平面から水平方向に沿って離れて配置され、上記アームの少なくとも１つの部分は、デバイスが水平面（５１）上に置かれているときに、スクリーンを目に見えて垂直な位置（５０）に維持するのに適している。第２の位置では、アームは、スクリーンに平行であり、かつキャビネットの正面および背面にそれぞれ接する平面の間の位置にある。
2009507408.tif 000002
【特許請求の範囲】
【請求項１】
フラットスクリーン（１１）およびキャビネット（１０）を備えるディスプレイデバイス（１から６）であって、前記デバイスは、第１の位置および第２の位置をとることができる少なくとも１つの可動式アーム（１５,１６，２５，２６，４５，５２，５３，６０）をさらに備え、
前記第１の位置では、前記デバイスが水平面（５１）に置かれているとき、１つまたは複数の前記可動式アームの１つの先端は、水平方向に従って前記スクリーンの正面（１９０）に対応する平面から離れており、１つまたは複数の前記アームの少なくとも一部分は、目に見えて垂直な位置で前記スクリーンを支えるのに適しており、
前記第２の位置では、１つまたは複数の前記アームは、前記スクリーンに平行でありかつ前記キャビネットの正面（１９０）と背面（１９１）にそれぞれ接した平面の間にある
ことを特徴とするディスプレイデバイス（１から６）。
【請求項２】
２つの可動式アームを備えることを特徴とする請求項１に記載のデバイス（１から５）。
【請求項３】
１つまたは複数の前記可動式アームのそれぞれと関連する少なくとも１つのラウドスピーカを備え、前記スピーカのそれぞれは、関連する前記可動式アームの第１の先端で固定されていることを特徴とする請求項１および２のいずれか１項に記載のデバイス。
【請求項４】
可動式アームと関連する前記スピーカのそれぞれの高さは、前記スクリーンの高さと目に見えて等しいことを特徴とする請求項３に記載のデバイス。
【請求項５】
前記スピーカのそれぞれの１つの前面は、前記スピーカと関連する前記アームが前記第２の位置にあるとき、前記スクリーンの前記前面の前記平面内にあることを特徴とする請求項３および４のいずれか１項に記載のデバイス。
【請求項６】
前記可動式アームおよび前記キャビネットのそれぞれは、前記スクリーンについてのそれぞれの前記可動式アームの回転手段を備えることを特徴とする請求項１から６のいずれか１項に記載のデバイス。
【請求項７】
前記回転手段は、サポートおよび前記サポートに挿入される可動式のボールジョイントを備え、前記ボールジョイントは、前記サポートについての回転において可動式であることを特徴とする請求項６に記載のデバイス。
【請求項８】
前記回転手段は、それぞれの前記可動式アームの誘導手段を備えることを特徴とする請求項７に記載のデバイス。
【請求項９】
前記回転手段は、サポートおよび前記サポートに挿入される回転軸（１８）を備え、前記回転軸は、前記サポートについての回転において可動式であることを特徴とする請求項６に記載のデバイス。
【請求項１０】
前記回転手段は、前記２つのアームが同期的な手法で移動するように、前記回転の同期化手段（５００、５１０）を備えることを特徴とする請求項６から９の１項または請求項２に記載のデバイス。
【請求項１１】
前記同期化手段は、例えば、少なくとも１つの部分的に歯のある歯車を備えることを特徴とする請求項７に記載のデバイス。
【請求項１２】
前記可動式アームおよびキャビネットのそれぞれは、前記可動式アームの運動の制限手段を備えることを特徴とする請求項１から１１のいずれか１項に記載のデバイス。
【請求項１３】
前記可動式アームの運動の前記制限手段は、ストップを備えることを特徴とする請求項１２に記載のデバイス。
【請求項１４】
前記可動式アームまたは前記キャビネットのそれぞれは、前記第１および／または前記第２の位置で、前記可動式アームのブロック手段を備えることを特徴とする請求項１から１３のいずれか１項に記載のデバイス。
【請求項１５】
前記可動式アームのそれぞれは、前記アームの２つの先端にリンクするプレートを備え、前記可動式アームが前記第１の位置にあるとき、前記プレートが前記水平面に置かれることを特徴とする請求項１から１４のいずれか１項に記載のデバイス。
【請求項１６】
前記アームが前記第1の位置にあるとき、前記スクリーンの前記前面は、後方に傾き、地面に置かれている前記アームの低い面と前記前面とにより形成される角度が厳密には９０°より小さいことを特徴とする請求項１から１６のいずれか１項に記載のデバイス。
【請求項１７】
前記可動式アームのそれぞれは、前記スクリーンの低い部分にリンクされることを特徴とする請求項１から１６のいずれか１項に記載のデバイス。
【請求項１８】
コンピュータのモニタおよびテレビジョンセットを含むグループに属することを特徴とする請求項１から１７のいずれか１項に記載のデバイス。
【請求項１９】
前記第１の位置では、１つまたは複数の前記アームの少なくとも一部分は、前記デバイスが水平面に置かれているときに垂直に対して２°から６°の間の角度で傾いた位置で前記スクリーンを支えるのに適していることを特徴とする請求項１から１８のいずれか１項に記載のデバイス。
【請求項２０】
前記第１の位置では、１つまたは複数の前記可動式アームの１つの先端は、前記スクリーンの正面に対応する前記平面から離れており、前記デバイスが水平面に置かれているとき前記アームが水平面に基づいて２５°から４５°の角度となっていることを特徴とする請求項１から１９のいずれか１項に記載のデバイス。
【発明の詳細な説明】
【技術分野】
【０００１】
本発明は、スクリーンの分野に関し、より詳細には、平面における、フラットスクリーン、例えば液晶型またはＬＣＤ（液晶ディスプレイ）の位置決めに関する。
【背景技術】
【０００２】
先行技術によると、フラットスクリーンを、壁に取り付けることができるか、平面に設置することができる。そのようなスクリーンは、例えば、特許文献１で説明されている。
【０００３】
特に、スクリーンの後ろに備え付けられたサポートを設置および／または除去するときに、設置位置から掛け位置に、または運ぶのに適した位置に移すことは、一般に、面倒な操作を必要とする。この操作は、実行するのに比較的扱いにくいという不都合を提示し、面倒なおよび／または扱いにくいサポートを必要とする。
【０００４】
特許文献２は、スクリーンを有するデバイスについて説明しており、デバイスの下部と平行な水平軸の周りで折り畳むか展開するハンドルを特色としている。設置位置では、１つのハンドルが正面に向かって配置され、別のハンドルが後ろに向かって配置される。したがって、これらのデバイスは、設置位置にあろうと、デバイスを持ち運ぶことを可能にするハンドルを有するものであろうと、比較的扱いにくいという不都合な点を有する。
【０００５】
【特許文献１】米国特許出願公開第２００４／００８４５８８号明細書
【特許文献２】米国特許出願公開第２００５／００９７７９７号明細書
【発明の開示】
【発明が解決しようとする課題】
【０００６】
本発明の目的は、先行技術の不都合な点を克服することである。
【０００７】
より具体的には、本発明は、設置位置または掛け位置においてサイズは限定されるが、容易に壁に設置または取り付けることができるように、フラットスクリーンディスプレイシステムの人間工学を改善するという目標を有する。
【課題を解決するための手段】
【０００８】
本発明は、フラットスクリーンと、キャビネットと、第１および第２の位置をとることができる少なくとも１つの可動式アームとを備えるディスプレイデバイスに関し、
第１の位置では、１つまたは複数の可動式アームの１つの先端は、水平方向に従ってスクリーンの正面に対応する平面から離れており、１つまたは複数のアームの少なくとも一部分は、デバイスが水平面に置かれているとき、目に見えて垂直な位置にスクリーンを支えるのに適しており、
第２の位置では、上記の１つまたは複数のアームは、スクリーンに平行でありかつキャビネットの正面と背面にそれぞれ接した平面の間にある。
【０００９】
特定の特性によると、デバイスは、２つの可動式アームを備える。
【００１０】
有利な特性によると、デバイスは、１つまたは複数の可動式アームのそれぞれと関連する少なくとも１つのラウドスピーカを備え、ラウドスピーカのそれぞれは、関連する上記可動式アームの第１の先端で固定されている。
【００１１】
好ましくは、可動式アームと関連するスピーカのそれぞれの高さは、スクリーンの高さと目に見えて等しい。
【００１２】
有利なことに、スピーカのそれぞれの前面は、そのスピーカと関連するアームが第２の位置にあるとき、スクリーンの前面の平面内にある。
【００１３】
好ましい特性によると、可動式アームおよびキャビネットのそれぞれは、スクリーンについてのそれぞれの可動式アームの回転手段を備える。
【００１４】
有利な特性によると、回転手段は、サポートおよびサポートに挿入される可動式のボールジョイントを備え、上記のボールジョイントは、サポートについての回転において可動式である。
【００１５】
好ましくは、回転手段は、それぞれの可動式アームの誘導手段を備える。
【００１６】
別の有利な特性によると、回転手段は、サポート、およびサポートに挿入される回転軸を備え、上記回転軸は、サポートについての回転において可動式である。
【００１７】
デバイスが２つのアームを備える場合、２つのアームが同期的な手法で移動するように、回転手段は、有利なことに、回転の同期化手段を備える。
【００１８】
同期化手段は、例えば、少なくとも１つの部分的に歯のある歯車を備える。
【００１９】
好ましくは、可動式アームおよびキャビネットのそれぞれは、例えばストップを備える可動式アームの運動の制限手段を備える。
【００２０】
有利なことに、可動式アームまたはキャビネットのそれぞれは、第１および／または第２の位置で、可動式アームのブロック手段を備える。
【００２１】
特定の特性によると、可動式アームのそれぞれは、アームの２つの先端にリンクするプレートを備え、可動式アームが第１の位置にあるとき、上記プレートは、水平面に置かれる。
【００２２】
有利なことに、アームが第1の位置にあるとき、スクリーンの前面は、後方に傾き、地面に置かれているアームの低い面と前面とにより形成される角度は、厳密には９０°より小さい。
【００２３】
好ましい特性によると、可動式アームのそれぞれは、スクリーンの低い部分にリンクされる。
【００２４】
特定の特性によると、デバイスは、コンピュータのモニタおよびテレビジョンセットを含むグループに属する。
【００２５】
本発明は、対応するサポートにも関する。
【００２６】
添付した図面について言及する以下の詳細な説明を読むことにより、本発明をより理解することができ、他の特定の特徴および利点が明らかになるであろう。
【発明を実施するための最良の形態】
【００２７】
本発明の一般的原理は、フラットスクリーンディスプレイデバイスに基づくものであり、フラットスクリーンディスプレイデバイスは、ディスプレイデバイスの移送の間またはディスプレイデバイスが壁に掛かっているときは、折り畳まれた位置に、ディスプレイデバイスが平面（例えば、テーブル、または家具類）上に置かれるときは、展開された位置に、少なくとも２つの可動式アームを備える。
【００２８】
したがって、システムが、移送位置または掛け位置から水平面上に設置されている状態になると、ユーザは、スクリーンの安定性を保証するために、容易に１つまたは複数の可動式アームを展開することができる。反対に、システムが、水平面上に設置されている状態から移送位置または掛け位置になると、ユーザは、容易にアームを折り畳むことができ、デバイスは、この構造において（移送にとって）扱いにくいものではなく、さらに掛けるのに容易となる。このアーキテクチャは、ユーザに、設備の選択に関して柔軟性を提供する。
【００２９】
図１は、フラット位置にあるか、または好適な本発明の実施形態に従って折り畳まれたディスプレイデバイス１の正面図を図式的に図示し、この位置により、（デバイスの扱いにくさが比較的低い）容易な移送および／または垂直の壁に容易に掛けることが可能となる。
【００３０】
ディスプレイデバイス１は、  
‐前面に、フラットスクリーン１１を囲むキャビネット１０と、  
‐２つの横のラウドスピーカ１２および１３と  
を備える。
【００３１】
折り畳まれた位置では、キャビネット１０と同じ高さを有するラウドスピーカ１２および１３は、キャビネット１０に隣接する。したがって、デバイスの扱いにくさは、比較的減少される。変形した実施態様によると、スピーカは、キャビネット１０より低く、好ましくは、スピーカの高さはキャビネットの高さの半分より大きい。
【００３２】
本発明の変形形態によると、ラウドスピーカは、キャビネットの高さと異なる高さを有する。特に、ラウドスピーカは、キャビネットの高さより低い高さ、例えば、８０ｍｍから９０ｍｍの間の高さを有することができる。
【００３３】
フラットスクリーン１０１は、例えば、ＬＣＤスクリーン、またはプラズマ型のスクリーンである。デバイスは、薄い厚さ（low thickness）のオーバーヘッドプロジェクタとすることもできる。
【００３４】
図示されない変形形態によると、キャビネット１０は、１つまたは複数の追加のスピーカ（例えば、低音専用の１つまたは複数のスピーカ）をスクリーンの下に備える。
【００３５】
図２の側面図で図示されるように、キャビネット１０は、後ろの部分に、スクリーンの操作に必要な電子部品、電源装置、およびコネクタ（電源装置、オーディオ／ビデオ接続ケーブル）を特に収納することができるカバー１４を備える。
【００３６】
デバイス１は、可動式アーム１５および１６も備える。図２における吹き出しでは、キャビネット１０の低い部分の断面の拡大図を図式的に示す。この部分は特に、前面上に、突出した要素１０１を備え、これにより特に可動式アーム１５および１６を隠して、下面１０２が優先的にカバー１４の下面に連続して接することが可能になり、アーム１５および１６が展開されるときにデバイス１が地面に置かれることが可能になる。
【００３７】
折り畳まれた位置では、可動式アーム１５および１６は、スクリーン１１と平行でありかつキャビネット（またはカバー１４）の正面（１９０）（またはスクリーン１１の前面）と背面（１９１）に接した２つの平面の間にある。
【００３８】
本発明の変形形態によると、アーム１５および１６、ならびに／またはラウドスピーカは、デバイスが壁に掛けられるときに、アームが曲がることを避けるためのサポート手段を備える。これらのサポート手段は、例えば、それぞれの可動式アームの先端の近くに配置されるか、および／または例えばキャビネット１２もしくはカバー１４に取り付けられる突起に固定されるラウドスピーカの先に配置される突起型の機械的手段である。それは、可動式アームの先端の近く、および／またはラウドスピーカの先、および／またはカバー上、またはキャビネットの近くに配置される磁気的手段（例えば、マグネット）を伴うこともできる。これらのサポート手段または同様の手段を使用し、ディスプレイデバイスが掛かっているとき、または移送の間に、折り畳まれた位置のアームを支えることができる。
【００３９】
図３は、キャビネット１０と関連付けられるリンク機構１７を、スピーカ１２または１３の１つに接続する剛性プレートを備えるデバイス１のアームの上面図を示す。
【００４０】
好ましくは、折り畳まれた位置では、リンク機構１７、ならびにアーム１５および１６は、キャビネット１０の低い部分に配置され、前面上は見えない。
【００４１】
スピーカ１２および１３は、剛性の手法でそれぞれアーム１５および１６に固定される。図３で示されるように、スピーカに関連付けられるアームが、折り畳まれた位置にあるとき、スピーカ１２および１３のそれぞれの前面は、スクリーン１１の前面の平面内にある。
【００４２】
水平面に設置位置のデバイスを図示する図４から図６によると、可動式アーム１５および１６は、折り畳まれた位置に対して角度βだけ後方に展開されており、アームは、展開された位置から折り畳まれた位置へ、またはその逆も同様となるように、水平方向に従ってスクリーンから離れている。
【００４３】
目に見えて水平な面上でのディスプレイデバイス１の使用形態において、キャビネット１１のベース、および可動式アーム１５および１６は、地面に置かれる。キャビネットの後ろに配置されているラウドスピーカは、その重さのために、デバイス１の重心を後ろに移動させることができ、したがって水平面に置かれているデバイスの安定性が改善されることとなる。
【００４４】
さらに、折り畳まれた位置では、可動式アーム１５および１６は、視聴者から見えないようにユニット１１の前面の裏側に位置づけられ、これにより、デバイス１の人間工学を改善し、可動式アームが展開されるときにキャビネットを平面上に置いたままにすることを可能にする。
【００４５】
好ましくは、デバイス１が水平面５１に設置される場合にデバイス１の安定性が改善されるように、可動式アームが展開されると、キャビネットの前面は、垂直線５０に対して角度αでわずかに傾けられる。この目に見えて垂直な位置は、さらに、スクリーンの正面に配置される視聴者が、正しく鑑賞することを可能にする快適な位置に対応する。
【００４６】
好ましくは、可動式アーム１５および１６は、各スピーカ１２および１３のぞれぞれで、音響信号、および場合によってはキャビネット１０の電源装置を移送するリンクケーブルを備える。有利なことに、これらのケーブルは、人間工学的な理由および／または実装の容易さのため、可動式アーム１５および１６に挿入される。
【００４７】
有利なことに、可動式アームの１つまたは両方は、突起１５０を備え、突起１５０により、アームの運動を制限すること、および／または展開された位置でアームのサポートを改善すること、カバー１４および／またはキャビネット１０が突起１５０を止めることが可能になる。可動式アーム１５および１６が展開され、場合によっては折り畳まれた位置に戻ることが可能である場合、上記の突起は、可動式アーム１５および１６の動きを妨げないように、十分に小さくなければならない。
【００４８】
一般的な手法では、好ましくは、アーム１５および１６のそれぞれ、ならびに／またはキャビネットは、展開された位置および／または折り畳まれた位置でアームのブロック手段を備える。これらのブロック手段は、例えば、それぞれのアームに配置されるクリップ型、突起型またはスロット型の機構とすることができ、２つのアームのそれぞれの可動式の先端が閉じられると、２つのアームは展開された位置でブロックされ、それらのブロック手段は結合される（この場合は、アームは展開された位置でつなぎ合わされる）。一変形形態によると、キャビネットは、アームが展開されるときにアームのブロック手段と関連するブロック手段も備える。ブロック手段は、磁気的手段（例えば、マグネット）を伴うこともできる。それでもなお、それらの手段は、選択的なものであり、キャビネット１０およびカバー１４の重さは、展開された位置でアームを支えることを助ける。
【００４９】
ディスプレイデバイスが掛かっているとき、または移送の間に、これらのブロック手段または同様の手段を用いて、折り畳まれた位置でアームを支えることもできる。
【００５０】
図７は、キャビネット１０、ならびにスピーカ１２および１３のサポートの透視図を示し、上記サポートは、アーム１５および１６、ならびにリンク機構１７を備える。
【００５１】
アーム１５（１６）は、  
‐地面に静止するように設計され、その自由端が例えばねじ型または接着型のスピーカ１２（１３）用の固定手段を備えるプレート１５０（１６０）と、  
‐プレート１５１（１６１）と  
を備える。
【００５２】
リンク機構１７は、  
‐プレート１５０のように、同じ厚さの地面に静止するように設計されたプレート１７０と、  
‐プレート１７１と、  
‐プレート１７０、プレート１５１および１６１、プレート１７１に続けて挿入されるシリンダ状の部分１７２であって、プレート１５１および１６１が、周りを旋回することができるシリンダ状の部分１７２と、  
‐シリンダ状の部分１７２と一体になった長方形の取り付けプレート１７３であって、キャビネット１０を例えばねじの手段によって取り付ける長方形の取り付けプレート１７３と  
を備える。
【００５３】
プレート１５１および１６１の回転軸１８は、アームに対して垂直であり、アームが展開されると、回転軸１８は、スクリーン１１の前面で平面に対して傾けられる。したがって、アーム１５および１６が折り畳まれると、アーム１５および１６の土台は、キャビネット１０の下部と隣接し、アーム１５および１６が（水平面に従って）スクリーン１１の平面に対して角度βで展開されると、スクリーンは、好ましくは２°と６°の間で、さらに好ましくは４°と等しい角度αで後方に傾く。
【００５４】
図のように、βは３０°と等しく、好ましくは、２５°と４５°の間である。
【００５５】
キャビネット１０の奥行きは、例えば、２６のスクリーン１１に対して４０ｍｍと等しい。プレート１５１および１６のそれぞれの幅は、キャビネットの奥行きより狭く、例えば、３０ｍｍに等しく、好ましくは２５ｍｍと４０ｍｍの間であり、プレート１５１および１６１のそれぞれの厚さは、５ｍｍに等しく、好ましくは５ｍｍと８ｍｍの間であり、プレート１５１および１６１の寸法により、正しい剛性および安定性を提供することが可能となる。プレート１５１および１６１の長さは、キャビネット１０の幅に依存し、軸１８とプレート１５１および１６１の自由端との間の距離は、スピーカ１２または１３が折り畳まれた位置でキャビネット１０に隣接するように、スピーカ１２または１３の幅を追加したキャビネット１０の幅の半分より短いことが好ましい。
【００５６】
好ましくは、プレートの厚さはスクリーンの比率に依存する。それでもなお、大きいサイズのスクリーンについては、プレートの厚さは、１０ｍｍより薄いか、または等しいことが好ましい。
【００５７】
プレート１５１および１６１は、例えば、（場合によっては、より堅いコアを有する）金属またはプラスチックである。したがって、サポートは、製造するのに比較的経済的で簡単であり、先行技術のサポートと比べると製造コストについて大幅な減少が可能である。
【００５８】
本発明の変形の実施形態によると、プレート１５１および１６１、ならびに／またはリンク機構１７を安定させ、これによりデバイス１を平面に設置する場合にデバイス１の安定性を改善することが可能であり、展開されている可動式アームおよび／またはスクリーン１１の傾斜角度αを減少させることが可能である。
【００５９】
図８および図９は、本発明の変形にかかるディスプレイデバイス２を図示し、それぞれ折り畳まれた位置の正面図および上面図である。
【００６０】
デバイス１および２は、根本的に可動式アームにおいて異なり、デバイス１および２に共通している他の要素は、同じ参照番号を有し、さらには説明しないこととする。
【００６１】
デバイス２の可動式アーム２５および２６は、実際、デバイス１の可動式アーム１５および１６より長い。したがって、スピーカ１２および１３は、キャビネット１０から（例えば、８ｃｍ、好ましくは５ｃｍと１５ｃｍの間）離れており、これにより特に可動式アームが展開されているときにデバイス２の音響を改善することが可能となる。
【００６２】
折り畳まれた位置では、可動式アーム２５および２６は、スクリーンと平行でありかつキャビネット（またはカバー１４）の正面（またはスクリーンの前面）と背面とそれぞれ接した２つの平面の間にある。
【００６３】
図１０は、本発明の変形形態による正面図にかかるディスプレイデバイス３を明らかにする。
【００６４】
デバイス１および２と対照的に、デバイス３は、アーム３５および３６のそれぞれに固定される可動式のスピーカを有さない（デバイス３はいかなるラウドスピーカも有さないか、スピーカはキャビネットに組み込まれる）。デバイス１、２、および３に共通している他の要素は、同じ名前と同じ参照番号を有し、さらに詳細には説明しないこととする。
【００６５】
表現を容易にするために、図１０では、アーム３５および３６は、アーム１５および１６と同じ長さである。それでもなお、アーム３５および３６が、キャビネット１０を越えないことが好ましい。軸１８とアーム３５および３６の自由端の間の距離は、キャビネット１０の半分の幅より短い。
【００６６】
図１１は、本発明の変形形態による側面図にかかるディスプレイデバイス４を示す。
【００６７】
この変形形態によると、可動式アーム４５および４６は、キャビネット４０の上部分に位置づけされるリンク機構によって、キャビネット４０に接続される（そのうえこのリンク機構は、上述したリンク機構１７と同様である）。可動式アーム４５および４６はそれぞれ、それぞれ左および右のラウドスピーカ４２および４３を支え、それぞれのラウドスピーカの上部分は可動式アームに固定されている。したがって、可動式アーム４５および４６が展開されると、可動式アーム４５および４６は、目に見えて垂直な位置にスクリーンを支え（望ましくは、上述したように角度αで後方にわずかに傾けられ）、デバイス４が水平面に静止すると、キャビネット４０の低い部分ならびにスピーカ４２および４３は、平面に静止し、組立品の安定性を提供する。
【００６８】
折り畳まれた位置では、可動式アーム４５および４６は、スクリーンに平行でありかつキャビネット（またはカバー１４）の正面（またはスクリーンの前面）および背面にそれぞれ接した２つの平面の間にある。
【００６９】
変形形態によると、可動式アームは、キャビネットの上部分または中間部分に固定され、スピーカには取り付けられない。そして、可動式アームは、ディスプレイデバイスが水平面で静止し、可動式アームの自由端もこの平面上に静止する（キャビネットのベースも平面上で静止している）ように適合された（例えば、曲がっているか、または水平面に対して真っ直ぐもしくは傾斜した）形式を有する。
【００７０】
図１２は、本発明の変形形態による上面図にかかるディスプレイデバイス５を示す。
【００７１】
この変形形態によると、可動式アーム５２および５３のそれぞれは、それぞれリンク機構５０および５１によって、キャビネット５０の低い部分に接続される。（例えば、可動式アーム５２および５３の２つの回転軸と接続されているプレート１７０および１７１と同様のリンクプレートを有する機構１７と同様である）リンク機構５０および５１の両方とも、２つのアームの同期的な動作を提供するために、お互いに取り付けられている歯車型の同期化手段５００および５１０をそれぞれ備えることが好ましい（機構は、反対方向に同時に回転する２つのギザギザのホイールと同様である）。したがって、アームが折り畳まれた位置からアームが展開された位置（または、その逆）への遷移を可能とする、１人の人間による取り扱いは、比較的容易である。
【００７２】
有利なことに、リンク機構は、前方と後方のそれぞれにアームの運動を制限するストップを備える（これらのストップは、例えば、リンク機構５０および５１のセクションに配置される突出した要素であって、反対側の機構５０または５１に押すことによってアームの運動を制限する）。
【００７３】
好ましくは、アーム５０および５１のそれぞれ、ならびに／またはキャビネットは、展開されたおよび／または折り畳まれた位置で、アームのブロック手段を備える。これらのブロック手段は、例えば、それぞれのアームに配置される突起型またはスロット型の機構とすることができ、２つのアームは、それぞれの可動式の先端が閉じられると、展開された位置でブロックされ、それらのブロック手段は結合される（この場合は、アームは展開された位置でつなぎ合わされる）。一変形形態によると、キャビネットは、アームが展開される場合のアームのブロック手段と関連するブロック手段も備える。それは、磁気的手段（例えば、マグネット）を伴うこともできる。これらのブロック手段または同様の手段を使用して、ディスプレイデバイスが掛かっているとき、または移送の間に、展開された位置でアームを支えることができる。
【００７４】
展開された位置では、可動式アーム５２および５３は、スクリーンと平行でありかつキャビネット（またはカバー１４）の正面（またはスクリーンの前面）および背面にそれぞれ接した２つの平面の間にある。
【００７５】
一変形形態によると、機構５０および５１は、ギザギザのホイール機構によってはリンクされず、お互いから、例えば０ｃｍから１０ｃｍの距離で離れている。この場合は、機構５０および５１は、単一の可動式アームを受け取るのに適合する機構１７と同様である。
【００７６】
図１３は、本発明の変形形態による上面図にかかるディスプレイデバイス６を示す。
【００７７】
この変形形態によると、デバイス６は、（デバイス５に対応する機構と同様の）リンク機構５０によってキャビネット６１の低い部分に接続される単一の可動式アーム６０を備える。好ましくは、アーム６０は、いかなるラウドスピーカも支えない。アーム６０は、キャビネット６１の垂直に二等分する面を中心とするものでもない。
【００７８】
折り畳まれた位置では、可動式アーム６０は、スクリーンに平行でありかつキャビネット（またはカバー１４）の正面（またはスクリーンの前面）および背面にそれぞれ接した２つの平面の間にある。
【００７９】
当然のことながら、本発明は、上述した実施形態に限定されない。
【００８０】
特に、当業者は、可動式アームが展開される場合にスクリーンが後方に傾かず、反対にアームが展開される場合にスクリーンが所与の平面と平行なままであるディスプレイデバイスを実装することができる。示されていない変形形態によると、アームが展開され、水平面上に置かれる場合に、スクリーンは垂直なままである（言い換えると、スクリーンは、アームが置かれる平面と垂直である）。この場合においては、アームは、スクリーンと平行な軸の周りについて可動的であれは十分である。
【００８１】
さらに、本発明は、ＬＣＤ型のスクリーンを備え付けることに限定されず、全てのフラットスクリーン、特に３０ｍｍから５０ｍｍの厚さを有するフラットスクリーンに関する。
【００８２】
さらに、本発明は、ＬＣＤ型のスクリーンを有するディスプレイデバイスを備え付けることに限定されず、特にキャビネット（カバーを含む）の奥行きが一般に５０ｍｍ以下であって、全体が１００ｍｍ以下の奥行きを有する全てのフラットスクリーンデバイスに関する。特に、本発明は、比較的小さい奥行き（例えば、１２ｍｍに等しいか、またはちょうど８ｍｍ）のモニタ型のディスプレイシステムに関する。このことは、移送を容易にする（扱いにくさを減少させる）ので、ラップトップコンピュータのビューシステムには、特に有利なことである。
【００８３】
また本発明は、軸およびサポート部分を限定しないリンク機構を有するキャビネットに関連する可動式アームを備えるディスプレイデバイスに関し、可動式アームは、この軸の周りを回転する。特に、本発明は、それぞれのアームの間のリンクおよびキャビネットが、ボールジョイントおよびそのサポートを使用して生成される、ディスプレイデバイスに関し、ここでアームの動きは、キャビネットおよび／またはカバーに備え付けられる特定の手段によって誘導される。したがって、アームが展開されると、スクリーンの後方に傾く動きは、比較的連続し、穏やかなものとすることができる。ボールジョイントが各アームおよびキャビネットのサポートと関連している場合（または一変形形態によると、サポートが、各可動式アームの１つおよびキャビネットの少なくとも１つのボールジョイントと関連している場合）、対応するサポートに挿入された各ボールジョイントは、回転において可動式である。
【００８４】
少なくとも１つのボールジョイントを実装する別の変形形態によると、キャビネットの下部は、アームを後方にスライドするように描かれ、展開された位置の１つまたは複数のアームが限界を超えると、スクリーンはアームに対して垂直のまま（組立品の安定性、および／または視聴者の視覚的な快適性を改善するため）小さな角度でスクリーンを後方に傾けるように描かれる（キャビネットの外形により、アームの運動を制限すること、および展開された位置でアームをブロックすることも可能になる）。
【００８５】
また本発明は、デバイスに接続された要素が、少なくとも１つのアームの先端に位置付けされるディスプレイデバイスに関する。上記の要素は、例えば、垂直の引き出しを有するＤＶＤプレーヤー、デバイスの制御ユニット（例えば、テレビジョンセットの場合は、サウンドのボリューム設定またはチャンネルの選択）、リモートの装置に情報を伝送および／または受け取るための手段（例えば、赤外線または高周波数のヘッドホンであって、さらにディスプレイデバイスにリンクされたヘッドホンのトランスミッタ）、ディスプレイデバイスと関連するコンポーネント（例えば、スクリーンが薄い場合、および／またはカバーがない場合、またはスクリーンの幅が減少される場合、アームの先端に対してオフセットするコンポーネント）である。
【００８６】
別の変形形態によると、ラウドスピーカに装備された可動式アームは、伸縮自在であり、アームが展開されると、視聴者に対して、よりよいサウンドの回復を可能にする。
【００８７】
さらなる他の変形形態によると、アームの断面は、平凡なものであり、例えばシリンダ状またはセミシリンダ状である。一般的に、アームは、平凡な断面を有する広範な要素を備え、上記要素は、アームが展開された位置にある場合は地面に置かれる。
【図面の簡単な説明】
【００８８】
【図１】フラット位置にあるディスプレイデバイスの正面図に従って、本発明の特定の実施形態にかかるディスプレイデバイスを示す図である。
【図２】フラット位置にあるディスプレイデバイスの側面図に従って、本発明の特定の実施形態にかかるディスプレイデバイスを示す図である。
【図３】フラット位置にあるディスプレイデバイスの上面図に従って、本発明の特定の実施形態にかかるディスプレイデバイスを示す図である。
【図４】平面上に設置されているディスプレイデバイスの正面図に従って、図１のディスプレイデバイスを示す図である。
【図５】平面上に設置されているディスプレイデバイスの側面図に従って、図１のディスプレイデバイスを示す図である。
【図６】平面上に設置されているディスプレイデバイスの上面図に従って、図１のディスプレイデバイスを示す図である。
【図７】図１から図６のディスプレイデバイスのサポートを説明する図である。
【図８】本発明の変形の実施形態にかかるディスプレイデバイスを示す図である。
【図９】本発明の変形の実施形態にかかるディスプレイデバイスを示す図である。
【図１０】本発明にかかるディスプレイデバイスの他の変形形態を示す図である。
【図１１】本発明にかかるディスプレイデバイスの他の変形形態を示す図である。
【図１２】本発明にかかるディスプレイデバイスの他の変形形態を示す図である。
【図１３】本発明にかかるディスプレイデバイスの他の変形形態を示す図である。
【図１】
2009507408.tif 000003
【図２】
2009507408.tif 000004
【図３】
2009507408.tif 000005
【図４】
2009507408.tif 000006
【図５】
2009507408.tif 000007
【図６】
2009507408.tif 000008
【図７】
2009507408.tif 000009
【図８】
2009507408.tif 000010
【図９】
2009507408.tif 000011
【図１０】
2009507408.tif 000012
【図１１】
2009507408.tif 000013
【図１２】
2009507408.tif 000014
【図１３】
2009507408.tif 000015
【国際調査報告】
2009507408.tif 000016
2009507408.tif 000017
2009507408.tif 000018
2009507408.tif 000019
2009507408.tif 000020
2009507408.tif 000021